(57)【特許請求の範囲】
【請求項１】
モーターとモーターの動力を伝達する伝達装置と前記伝達装置の伝達先となる１組の上下洗浄ローラーをコの字状の本体に配設し、前記本体の上面には取手を設けてなる洗浄機において、上下洗浄ローラーを少なくとも３組設けて、前記上下洗浄ローラーを洗浄液中に浸漬させて、上下洗浄ローラー間で印面を彫刻した多孔質印字体シートを繰り返し往復させることを特徴とする洗浄機。
【請求項２】
前記上下洗浄ローラーの両端に、常に上下で当接するカムギヤー同士を線対称の形をとるようにはめ込み、前記上下洗浄ローラーが弾性体によって常に当接する方向に押圧力をかけられることで、前記上下洗浄ローラーの間隔を狭くしたり、広くしたりすることを特徴とする請求項１に記載した洗浄機。
【請求項３】
前記洗浄液を常にきれいにする為の循環装置を設けて、前記多孔質印字体シートから出る汚れを除去することを特徴とする請求項１又は請求項２に記載した洗浄機。
【発明の詳細な説明】
【０００１】
【産業上の利用分野】
本発明は、多孔質印字体シート及び非多孔質印字体シート、特にゴム材料を炭酸ガスレーザーやＹＡＧレーザー及び刃を用いる彫刻機で加工した前記印字体シートを表面と多孔質であるなら内部まで洗浄する洗浄機に関するものである。
【０００２】
【従来の技術】
従来よりこの種の発明は、印判の印字体に印面をレーザー加工や刃による彫刻加工を施すようになり必要になってきた。なぜなら、レーザー加工の場合、炭酸ガスやＹＡＧレーザーで印字体表面にレーザー光線をあてて表面のゴム材質を燃焼させて昇華させるわけである。この時、燃え滓（ゴム材であればカーボン）が燃焼表面及び多孔質印字体シートであれば多孔質内への燃え滓（カーボン）の混入が生じる。このまま、インキを含侵し捺印すると印影に燃え滓が出てきて印影が黒くなり、特に淡いインキであると汚れが顕著である。また、さらに多孔質印字体シートの内部にまで滓が混入するとインキ詰まりの原因にもなる。
【０００３】
次に、刃による彫刻においても、表面の削り滓、多孔質であるなら多孔質内への削り滓の混入が生じる。
従って、この場合もインキを含侵したとき印影等が削り滓により汚れることになる。
こうしたことから、印字体の洗浄が必要となり、各種の洗浄方法が取られているが簡単に、容易に洗浄を行う方法が見出されていない。
特に昨今、レーザー技術が発展し、印面加工への転用が活発化してくると、上記問題は必須といって良い。
【０００４】
【発明が解決しようとする課題】
以上のように従来からレーザー加工や刃による彫刻加工で、非多孔質印字体シートや多孔質印字体シートの燃え滓、削り滓を表面や多孔質印字体であるなら多孔質中に混入することになる。こうした印字体にインキを含浸すると捺印時に印影が燃え滓、削り滓によって汚れてしまう。そこで、洗浄を行う必要が生じるがなかなか奇麗に簡単に燃え滓、削り滓を除去することができない。
こうした中で、上記問題を解決する為に、前記多孔質印字体及び前記非多孔質印字体を簡単容易に確実に洗浄する洗浄機を提供するものである。
【０００５】
【課題を解決するための手段】
上記の課題を解決するために完成された第１の発明の洗浄機は、モーターとモーターの動力を伝達する伝達装置と前記伝達装置の伝達先となる１組の上下洗浄ローラーをコの字状の本体に配設し、前記本体の上面には取手を設けてなる洗浄機において、上下洗浄ローラーを少なくとも３組設けて、前記上下洗浄ローラーを洗浄液中に浸漬させて、上下洗浄ローラー間で印面を彫刻した多孔質印字体シートを繰り返し往復させることを特徴とする。また、第２の発明は、前記上下洗浄ローラーの両端に、常に上下で当接するカムギヤー同士を線対称の形をとるようにはめ込み、前記上下洗浄ローラーが弾性体によって常に当接する方向に押圧力をかけられることで、前記上下洗浄ローラーの間隔を狭くしたり、広くしたりすることを特徴とする第１の発明の洗浄機である。また、第３の発明は、前記洗浄液を常にきれいにする為の循環装置を設けて、前記多孔質印字体シートから出る汚れを除去することを特徴とする第１の発明又は第２の発明の洗浄機である。
【０００６】
【作用】
第１の実施例は、印面加工を施した印字体を受板より上下洗浄ローラーの間に挿入させ往復運動（反復運動）させることにより印字体を揉み洗いする。この時、上下洗浄ローラーは、４組設けられている。この組数は３組以上であればよく、その理由は右端もしくは左端に印字体が位置したとき印字体が洗浄ローラーの正規軌道から離れない為である。
ある一定の時間がきたら、印字体は上下洗浄ローラーからはずれてもう一方の受け板に出てくる。
【０００７】
第２の実施例は、上下洗浄ローラーの一方端に伝達装置の力を作用させる歯車が設けられており、両端に常に上下で当接しているカムを相似する位置になるようにはめ込み、更に上下洗浄ローラーは弾性体で常に当接する方向に押圧力をかけられている。
そして、この上下洗浄ローラーの間を印字体が往復運動（反復運動）する間、カムにより上下の洗浄ローラーの間隔が狭くなったり、広くなったりする。こうして、印字体を揉み洗いのごとく洗浄するわけである。ある一定時間がくれば、印字体は上下洗浄ローラーよりもう一方の受板に出てくる。
【０００８】
第３の実施例は、上下洗浄ローラーの効果をより高める為に、洗浄液を常に奇麗にする循環装置を設けることにより燃え滓やゴミを取り除く。
【０００９】
【実施例】
本発明の第１の実施例を図１より詳細に説明する。
１は、コの字状の本体であり、上部にモーター２を設けており、本体１の合向い合う面には、上下洗浄ローラー３が４組一定間隔で水平に並んで設けられている。
３は、前記したように上下洗浄ローラーであり、洗浄ローラー４、５が上下に垂直に並んでいる。上洗浄ローラー５と下洗浄ローラー４の一方端には歯車６が夫々に設けられており、噛み合っている。また前記上洗浄ローラー５の他方端には、スプロケット７が設けられており、モーター２からの回転力を伝達し、伝達装置であるチエーン９が前記スプロケット７に掛かっている。
【００１０】
また、上下洗浄ローラー３を本実施例では３組水平に並んでいる。
前記上洗浄ローラー５と前記下洗浄ローラー４は弾発部材１６（スプリング、スポンジ、板ばね）で上洗浄ローラーは下向きに下洗浄ローラーは上向きに弾発懸架されていることも本発明の意図するところである。
この時、上下洗浄ローラー３の両端は歯車が設けられ噛み合っている。
この洗浄ローラーの材質は、金属の周に非多孔質のゴムを設けているが、周囲の部材として使用可能な例は、小さい金属直径の表層１５に弾性体もしくは、成形体を設けて洗浄ローラーとすることも可能である。
弾性体及び成形体の中には、ウレタンやゴムの多孔質体や、非多孔質体のゴム、熱可塑性樹脂、熱硬化性樹脂が選択可能である。
また、上下洗浄ローラー３は、洗浄溶液の中に浸責している。洗浄溶液は、水槽１４に入れられ、組成を純粋やアルカリ水が使用可能であり、洗浄洗剤を入れることも可能である。
【００１１】
作動は、印面加工を施した印字体１７を受板１８より上下洗浄ローラー３の間に挿入させ往復運動（反復運動）させることにより印字体１７を揉み洗いする。この時、上下洗浄ローラー３は、４組設けられており、上下洗浄ローラー３以外のところは押圧力が加わらないので揉み洗いの方法となる。往復運動は、一定時間往復運動するように制御されている。
ある一定の時間がきたら、印字体１７は上下洗浄ローラー３からはずれてもう一方の受板１８に出てくる。
【００１２】
第２の実施例は、上下洗浄ローラー３の一方端に伝達装置８によりモーター２の回転力を伝達するスプロケット７を設けており、両端にはカムギヤー１０を設けており、前記カムギヤー１０は上洗浄ローラー５と下洗浄ローラー４に同位相で押圧当接されている。
従って、常にカムギヤー１０同志は、線対称の形をとっている。
本実施例は、上下洗浄ローラー３を４組並べている。
また、第１の実施例で示したように上洗浄ローラー５と下洗浄ローラー４は弾発部材１６（スプリング、スポンジ、板ばね）で上洗浄ローラーは下向きに下洗浄ローラーは上向きに弾発懸架されている。
こうした構成であるので、印字体１７が上下洗浄ローラー３の間を往復運動すると夫々のカムギヤー１０の動きにより上下洗浄ローラーの間隔が広くなったり狭くなったりする。
この間隔の変化により印字体がより揉み洗いが可能となる。
【００１３】
その他は、第１の実施例と同じである。
次に、前記第１の実施例と前記第２の実施例の洗浄溶液は、そのまま数回使用すると汚れがひどくなり、使用不可能になる。そこで、洗浄溶液を常に循環できるように、ポンプ１２とフィルター１３を設けた循環装置１１を設けている。
フィルター１３は、ろ紙やフェルト、繊維材料が使用可能である。そして、燃焼滓（カーボン）や削り滓等の混入した洗浄溶液を通すことにより、溶液と滓の分別を行う。
従って、外界への滓の洗浄溶液の垂れ流しはない。
【００１４】
また、本発明の洗浄機は、通常は上下洗浄ローラー３は洗浄溶液に浸責されており、洗浄が終わった後、洗浄溶液から本体をそのまま取り出して絞り機として印字体の乾燥を行うことも可能である。
以上の構成であるので、多孔質印字体であっても非多孔質印字体であったも表面の滓や多孔質印字体の中のごみや、燃え滓（カーボン等）、削り滓が洗浄できるものである。
【００１５】
【効果】
以上の様な構成であるので、多孔質印字体や非多孔質印字体の印面を作成した表面や、多孔質であれば多孔質中のごみや燃え滓、削り滓が洗浄可能となる。
また、本発明の洗浄機は、洗浄溶液から取り出し自由なので、洗浄した後に洗浄液から洗浄機を取り出して、印字体に含まれる洗浄液を絞り出して乾燥機とすることも可能で、乾燥に多くの時間をかけなくてよい。
【００１６】
【図面の簡単な説明】
【図１】本発明の第１の実施例の平面図
【図２】本発明の第１の実施例の断面説明図
【図３】本発明の第１の実施例の説明図
【図４】本発明の第２の実施例の説明図
【符号の説明】
１  ：本体
２  ：モーター
３  ：上下洗浄ローラー
４  ：下洗浄ローラー
５  ：上洗浄ローラー
６  ：歯車
７  ：スプロケット
８  ：伝達装置
９  ：チェーン
１０  ：カムギヤー
１１  ：循環装置
１２  ：ポンプ
１３  ：フィルター
１４  ：水槽
１５  ：表層
１６  ：弾発部材
【図１】
0004203147.tif 000002
【図２】
0004203147.tif 000003
【図３】
0004203147.tif 000004
【図４】
0004203147.tif 000005